(57)【要約】【課題】安価で、回転時の安定性や安全性の高いリール及びその半割体を提供する。【解決手段】円盤状の側板の内側面に、その外周縁端部に所定幅の外縁部を残して円周リブを無端に突成し、その内側に矩形リブを設けると共に、前記側板の中心部に円形凹面を残してドーナツ状の半巻芯部をテープ幅の半分の高さで設け、前記円形凹面に係止切欠を放射状に有する軸孔を貫設してなるキャリアテープ用リールの半割体であって、薄肉のプラスチックシートをシート成型して電子部品のキャリアテープ用リールの半割体を得る。また、上記半巻芯部において、上記円形凹面と連続する複数の放射状の凹部によって分割し、円弧状突成部の集合として半巻芯部を形成する。さらに、上記電子部品のキャリアテープ用リールの半割体を二個一組とし、互いの半巻芯部同士を向かい合わせに接合して電子部品のキャリアテープ用リールを完成する。【選択図】図１
2009208895.tif 000002
【特許請求の範囲】
【請求項１】
円盤状の側板の内側面に、その外周縁端部に所定幅の外縁部を残して円周リブを無端に突成し、その内側に矩形リブを設けると共に、前記側板の中心部に円形凹面を残してドーナツ状の半巻芯部をテープ幅の半分の高さで設け、前記円形凹面に係止切欠を放射状に有する軸孔を貫設してなるキャリアテープ用リールの半割体であって、薄肉のプラスチックシートをシート成型して得ることを特徴とする電子部品のキャリアテープ用リールの半割体。
【請求項２】
上記半巻芯部は、上記円形凹面と連続する複数の放射状の凹部によって分割し、円弧状突成部の集合として半巻芯部を形成した請求項１記載の電子部品のキャリアテープ用リールの半割体。
【請求項３】
係止切欠を放射状に有する上記軸孔の周縁端に、内側に向かう起立部を設けた請求項１または請求項２記載の電子部品のキャリアテープ用リールの半割体。
【請求項４】
軸孔を貫設した上記円形凹面に、その形状に見合う形状のプラスチックシート製の補強板を接合した請求項１から請求項３のいずれか１項記載の電子部品のキャリアテープ用リールの半割体。
【請求項５】
請求項１から請求項４のいずれか１項記載の電子部品のキャリアテープ用リールの半割体を二個一組とし、互いの半巻芯部同士を向かい合わせに接合したことを特徴とする電子部品のキャリアテープ用リール。
【発明の詳細な説明】
【技術分野】
【０００１】
この発明は、薄肉のプラスチックシートをシート成型（真空成型、圧空成型等）して得られる電子部品のキャリアテープ用リール及びその半割体に関するものである。
【背景技術】
【０００２】
従来、微小な電子部品を収納、運搬、供給するために、収納凹部を連続して設けてなるキャリアテープが広く利用され、これに伴い、これを巻回するキャリアテープ用リールも様々な形式のリールが提案されている。例えば、アルミニウム製の一体物やプラスチックの射出成型によるものなどがあったが、これらのものは材料自体が高価であったり、製造工程が複雑で製造コストが高くつく等の問題がある。このコスト抑制のため、段ボールなどの厚紙を素材とするリールも提案されているが、紙粉が発生し、電子部品に悪影響を及ぼす懸念が指摘されている。また、これら従来のリールは、完成品として運搬、搬入されるので、運搬、保管において嵩高となり、不便であった。
【０００３】
そのため、安価で比較的簡単な構成のものとして、特許文献１に記載のリールが提案されている。このリールは、複雑な形状のリブを有する側板、テープ幅の約１／２の高さを有する突成面、係止切欠を有する軸孔等を備えた同型の半割体を薄肉のプラスチックシートで真空成型し、二個一対の半割体を上記突成面で互いに嵌合可能な凹凸によって接合可能としてリールを完成するものである。
【０００４】
この種のリールは、その構成によって製品コストも安価であり、運搬・保管の際も、突成面を同一向きに積み重ねれば、突成面が嵌り合って積み嵩も抑制できる。そして、リールを構成する場合は、二個一対の半割体の突成面同士を向かい合わせに接合するだけで、側板間にテープ幅に見合った巻き芯（ハブ）を構成したリールを簡易に得ることができるものである。
【０００５】
一方、例えば特許文献２に示すように、リールの半割体を発泡性合成樹脂材料で構成することも行われている。このリールは、外周縁内面にアールを付した側板が一体の軸孔を有する半截巻芯係接端面にそれぞれテーパ外周の相互嵌合可能な凹凸部を対設した同型の半割体を発泡性合成樹脂材料で構成し、該半割体を凹凸部嵌合によって係接端面において接合させるようにしたものである。
【０００６】
そして、発泡整合性樹脂材料で構成するものであるから、発泡倍率を変えることによって軽量化または強度面を自由に変えることができるという特徴を有するものである。また、テーパを付けた凹凸部で、組み立てが容易であり、さらに、両側板の外周縁内面にアールを付しているので、テープが巻きやすくなっている。
【０００７】
【特許文献１】実開昭６０−８５５５７号公報
【特許文献２】実開平６−２０３７０号公報
【発明の開示】
【発明が解決しようとする課題】
【０００８】
しかしながら、上記前者の構成のリールでは、シート成型時の精度によって側板部分に変形やたわみが生じるおそれがあるため、回転時にたわみ等が原因で不規則回転となり、キャリアテープの巻き取りや送り出しに不都合が生じることがある。また、突成面がドーナツ状に形成されているので、軸方向の力に弱く、凹凸の嵌合時に突成面が圧壊するおそれがあった。
【０００９】
一方、後者の構成のリールにおいても、成型上、側板のたわみを排除することは困難であると共に、複雑な形状の型を必要とし、コストの面で問題がある。
【００１０】
さらに、いずれのリールでも、中心に、係止片を突設した駆動軸が係入可能な放射方向の係止切欠を有する軸孔を貫設しているが、この軸孔は単に打ち抜き等で貫設するだけであったから、この軸孔、特に上記係止片が係入する係止切欠に、駆動軸の始動時や停止時に強い回転トルクが作用すると、軸孔や係止切欠が変形したり破損したりするという不都合があった。
【００１１】
本発明は、上述した諸課題に鑑みてなされたものであり、より安価で、回転時の安定性や安全性の高いリール及びその半割体を提供することを目的としたものである。
【課題を解決するための手段】
【００１２】
上記諸課題を解決するため、請求項１に記載した発明は、円盤状の側板の内側面に、その外周縁端部に所定幅の外縁部を残して円周リブを無端に突成し、その内側に矩形リブを設けると共に、前記側板の中心部に円形凹面を残してドーナツ状の半巻芯部をテープ幅の半分の高さで設け、前記円形凹面に係止切欠を放射状に有する軸孔を貫設してなるキャリアテープ用リールの半割体であって、薄肉のプラスチックシートをシート成型して電子部品のキャリアテープ用リールの半割体を得るという手段を採用したものである。
【００１３】
また、請求項２に記載した発明は、上記半巻芯部において、上記円形凹面と連続する複数の放射状の凹部によって分割し、円弧状突成部の集合として半巻芯部を形成するという手段を採用したものである。
【００１４】
また、請求項３に記載した発明は、上記請求項１または請求項２に記載した発明において、係止切欠を放射状に有する上記軸孔の周縁端に、内側に向かう起立部を設けるという手段を採用したものである。
【００１５】
また、請求項４に記載した発明は、上記請求項１から請求項３のいずれか１項に記載した発明において、軸孔を貫設した上記円形凹面に、その形状に見合う形状のプラスチックシート製の補強板を接合するという手段を採用したものである。
【００１６】
そして、請求項５に係る発明は、上記請求項１から請求項４のいずれか１項記載の電子部品のキャリアテープ用リールの半割体を二個一組とし、互いの半巻芯部同士を向かい合わせに接合して電子部品のキャリアテープ用リールを完成するという手段を採用したものである。
【発明の効果】
【００１７】
上記請求項１に係る発明は、薄肉のプラスチックシートをシート成型して半割体を得るものであるから、極めて簡単かつ安価に製造できる。また、側板の内側面の全周に渡って円周リブを無端に突成しているので、側板のたわみの発生を大幅に排除できる。さらに、運搬や保管時には、半巻芯部を同じ向きにして重ねることで、多数を重ねても嵩を低く抑えることができ、省スペースを実現できる。そして、対向接合してリールを完成させた場合に、安定した回転をさせることができるものである。
【００１８】
また、請求項２に係る発明は、円弧状突成部の集合として半巻芯部を形成したので、軸方向に対する強度の強い巻芯を形成することが可能であり、その凹部にテープの始端を係着させるようにすれば、テープの巻き取りを容易に行うことができる。
【００１９】
また、請求項３に係る発明は、軸孔の周縁端に、起立部を設けたので、その起立部が補強リブの役割を果たし、駆動軸による回転トルクに耐え、補強されたものとなる。
【００２０】
また、請求項４に係る発明は、軸孔周辺に補強板を接合するものであるから、軸孔周辺はより強固に補強され、駆動軸の回転トルク等による変形や破損を確実に防止できるようになった。
【００２１】
さらに、請求項５に係る発明は、上記構成の半割体を二個一組とし、互いの半巻芯部同士を向かい合わせに接合して電子部品のキャリアテープ用リールを完成するものであるから、安価に製造することができると共に、リブの存在により、回転駆動時にも安定した回転を得ることができ、テープの巻き取りや送り出しに不都合が生じることがない。また、軸孔周辺を補強しているので、回転駆動時に、駆動軸の回転トルクによる軸孔の変形や破損を確実に抑制でき、安定性や安全性の高いリールを提供できるものである。
【発明を実施するための最良の形態】
【００２２】
以下、本発明に係る電子部品のキャリアテープ用リール及びその半割体の好ましい実施形態を、添付した図面に従って説明する。図１は、本発明の一実施形態に係る半割体の斜視図、図２は同じく平面図である。この半割体は、厚みが約０．１〜０．５ｍｍ程度の薄肉のプラスチック（例えばポリスチレン）のシートを真空成型等によって下述する形状に賦形して得たものである。
【００２３】
図１、２において、１は円盤状の側板で、その外周縁端部から所定幅の外縁部１ａを残して円周リブ２を内側面の全周に渡って無端に突成したものである。ここで内側面とは、半割体を接合した時に内側に対向する側の面をいう。３、３は同様に、側板１の内側面の上記円周リブの内側に突成した所定形状の矩形リブで、左右対称に設けたものである。なお、１ｂ、１ｂは同様に左右対称に設けた扇形の透孔で、この透孔１ｂを介してテープの始端を下述する放射状凹部４ａに係着しやすいようにすると共に、テープの巻き取り量を視認可能とするものである。
【００２４】
４は、上記側板１の中心部に所定径の円形凹面５を残してドーナツ状に突成した半巻芯部であり、その突成高さは、上記各リブ２、３より高く、巻き取りたいキャリアテープの幅の約１／２の高さを有する。また、この半巻芯部４は、連続したドーナツ状ではなく、上記円形凹面５と連続する４つの放射状の凹部４ａによって四分割され、円弧状突成部４ｂ、４ｂ・・の集合として形成されている。このような分割構造としたのは、各凹部４ａが補強リブとして機能し、連続した真円状とするよりも軸方向に対する強度が強い巻芯を形成することが可能となると共に、凹部４ａにテープの始端を係着させて、巻き取りを容易にするためである。
【００２５】
次に、６は、上記側板１の中心に貫設した軸孔であって、巻き取り装置における係止片を突設した駆動軸が係入可能なように、複数（図では３個所）の係止切欠６ａを周縁の放射方向に設けたものである。さらに、この係止切欠６ａを含む軸孔６の周縁端には、図３の断面図で示すように、所定高さの起立部６ｂを内側に起立させている。この起立部６ｂは、リブとして機能し、軸孔６の補強に寄与するものである。
【００２６】
また、７は、上記軸孔６の補強板であって、軸孔６の周囲の円形凹面５に接合するものである。この補強板７は、予め、別途プラスチックシートを上記軸穴６を設けた円形凹面５の形状に見合う形状にカットしたものであり、接着剤による接着、超音波や熱による溶着等適宜な手段で上記円形凹面５に接合される。かかる補強板７によって、軸孔６周辺はより強固に補強され、駆動軸の回転トルク等による変形や破損を確実に防止できる。
【００２７】
続いて、上記構成からなる半割体の取り扱いについて説明すると、基本的には従来の半割体と同様である。即ち、運搬や保管時には、半巻芯部４を同じ向きにして重ねることで、多数を重ねても嵩を低く抑えることができ、省スペースを実現できる。また、薄肉プラスチックシートをシート成型するものであるから、簡単かつ安価に製造することが可能である。
【００２８】
また、リールを完成させる場合は、図３に示すように、同じ半割体を二個一組として、互いの半巻芯部４（円弧状突成部４ｂ）同士を向かい合わせに接合することによって、左右側板間にテープ幅に見合った幅の巻芯を備えたキャリアテープ用リールを完成させることができる。なお、この場合、両者の接合は、接着剤による接着、超音波や熱による溶着等適宜な公知手段で行う。また、図示しないが、上記円弧状突成部４ｂに、互いに嵌合可能な凹凸を設けて嵌合させるようにしてもよい。
【００２９】
かかる手段で完成させたリールは、内側対向面の縁端の全周に円周リブ２や矩形リブ３を設けているので、側板１にそりやたわみを生じることがなく、回転駆動時にも安定した回転を得ることができ、テープの巻き取りや送り出しに不都合がない。また、外周縁端部には外縁部を１ａを残しているので、円周リブとの間の段差によってテープを内側に案内し、テープが巻き取りやすくなるという利点がある。
【００３０】
また、軸孔６に起立部６ａを設けたり、その周囲に補強板７を接合しているので、軸孔６の周辺部分が補強され、回転駆動時に、駆動軸の回転トルクによる軸孔の変形や破損を確実に抑制できる。
【図面の簡単な説明】
【００３１】
【図１】本発明に係るキャリアテープ用リールの半割体の斜視図である。
【図２】同じく、平面図である。
【図３】二個一組の半割体を接合してリールを完成した時の側面の一部断面図である。
【符号の説明】
【００３２】
１    側板
１ａ  外縁部
１ｂ  透孔
２    円周リブ
３    矩形リブ
４    半巻芯部
４ａ  凹部
４ｂ  円弧状突成部
５    円形凹面
６    軸孔
６ａ  係止切欠
６ｂ  起立部
７    補強板
【図１】
2009208895.tif 000003
【図２】
2009208895.tif 000004
【図３】
2009208895.tif 000005